(57)【要約】【課題】手動で被貼付体に帯状フィルムを貼り付けるに際し、気泡やシワの発生を抑制しながら低コストで貼り付け作業を行うことができるフィルム貼り付け補助装置およびフィルム貼り付け方法を提供する。【解決手段】フィルム貼り付け補助装置は、巻装体支持部１０により支持された巻装体３０から送出された帯状フィルム３２を案内するための案内ローラ１２と、案内ローラ１２により案内された帯状フィルム３２の先端部３２ａの裏面の粘着層が貼り付けられる仮貼付部１４と、直線状に延びるよう設けられ、仮貼付部１４を案内する案内レール１６と、仮貼付部１４に先端部３２ａの裏面の粘着層が貼り付けられた帯状フィルム３２を、案内レール１６の近傍に載置された被貼付体３４に向かって上方から押さえつけることにより被貼付体３４に帯状フィルム３２を貼り付けるための押さえ部材１８と、を備えている。【選択図】図１
2013209547.tif 000002
【特許請求の範囲】
【請求項１】
被貼付体に帯状フィルムを貼り付けるのを補助するためのフィルム貼り付け補助装置であって、
裏面に粘着層が設けられた帯状フィルムが巻装される円筒状の巻装体を支持するための巻装体支持部と、
前記巻装体支持部により支持された巻装体から送出された帯状フィルムを案内するための案内ローラと、
前記案内ローラにより案内された帯状フィルムの先端部の裏面の粘着層が貼り付けられる仮貼付部と、
直線状に延びるよう設けられ、前記仮貼付部を案内する案内レールと、
前記仮貼付部に先端部の裏面の粘着層が貼り付けられた帯状フィルムを、前記案内レールの近傍に載置された被貼付体に向かって上方から押さえつけることにより前記被貼付体に前記帯状フィルムを貼り付けるための押さえ部材と、
を備えた、フィルム貼り付け補助装置。
【請求項２】
前記巻装体支持部は、水平面上で互いに離間して平行に延びる一対のローラを有し、これらの一対のローラ上に円筒状の巻装体が載置されるようになっている、請求項１記載のフィルム貼り付け補助装置。
【請求項３】
前記押さえ部材は、押さえローラと、前記押さえローラに設けられ、操作者が把持するためのハンドルとを有している、請求項１または２記載のフィルム貼り付け補助装置。
【請求項４】
前記案内レールは、水平面上で互いに離間して平行に延びるよう一対設けられており、前記被貼付体は、前記一対の案内レールの間に載置されるようになっている、請求項１乃至３のいずれか一項に記載のフィルム貼り付け補助装置。
【請求項５】
前記仮貼付部には位置固定部材が取付可能となっており、当該位置固定部材により前記仮貼付部を前記案内レールの所定の位置に選択的に固定することができるようになっている、請求項１乃至４のいずれか一項に記載のフィルム貼り付け補助装置。
【請求項６】
被貼付体に帯状フィルムを貼り付けるフィルム貼り付け方法であって、
裏面に粘着層が設けられた帯状フィルムが巻装される円筒状の巻装体を巻装体支持部により支持させる工程と、
前記巻装体支持部により支持された巻装体から送出された帯状フィルムを案内ローラにより案内する工程と、
前記案内ローラにより案内された帯状フィルムの先端部の裏面の粘着層を仮貼付部に貼り付ける工程と、
帯状フィルムの先端部の裏面の粘着層が貼り付けられた前記仮貼付部を、直線状に延びる案内レールに沿って移動させる工程と、
前記仮貼付部が前記案内レールに沿って移動した後、前記仮貼付部に先端部の裏面の粘着層が貼り付けられた帯状フィルムを、前記案内レールの近傍に載置された被貼付体に向かって上方から押さえつけることにより前記被貼付体に前記帯状フィルムを貼り付ける工程と、
を備えた、フィルム貼り付け方法。
【発明の詳細な説明】
【技術分野】
【０００１】
本発明は、被貼付体に帯状フィルムを貼り付けるのを補助するためのフィルム貼り付け補助装置、および被貼付体に帯状フィルムを貼り付けるフィルム貼り付け方法に関する。
【背景技術】
【０００２】
従来から、被貼付体に帯状フィルムを貼り付けるフィルム貼り付け方法として、例えば特許文献１等に開示されるものが知られている。特許文献１に開示されるフィルム貼り付け方法では、円筒状の巻装体に巻装された帯状フィルムを、アイドラを介して送出するようになっている。また、特許文献１に開示されるフィルム貼り付け方法では、帯状フィルムの送出速度を自動的に調整する調整装置等が用いられるようになっている。しかしながら、このようなフィルム貼り付け方法では、調整装置等が用いられることによりコストが高くなってしまうという問題がある。さらに、このようなフィルム貼り付け方法では、帯状フィルムを調整装置に取り付ける作業が必要となったり、また、被貼付体を水平方向に搬送するための駆動系が必要となったりすることにより、多品種小ロットの製品には適さないという問題がある。
【先行技術文献】
【特許文献】
【０００３】
【特許文献１】特開昭５６−１３５５７８号公報
【発明の概要】
【発明が解決しようとする課題】
【０００４】
本発明は、このような点を考慮してなされたものであり、手動で被貼付体に帯状フィルムを貼り付けるに際し、気泡やシワの発生を抑制しながら低コストで貼り付け作業を行うことができるフィルム貼り付け補助装置およびフィルム貼り付け方法を提供することを目的とする。
【課題を解決するための手段】
【０００５】
本発明のフィルム貼り付け補助装置は、被貼付体に帯状フィルムを貼り付けるのを補助するためのフィルム貼り付け補助装置であって、裏面に粘着層が設けられた帯状フィルムが巻装される円筒状の巻装体を支持するための巻装体支持部と、前記巻装体支持部により支持された巻装体から送出された帯状フィルムを案内するための案内ローラと、前記案内ローラにより案内された帯状フィルムの先端部の裏面の粘着層が貼り付けられる仮貼付部と、直線状に延びるよう設けられ、前記仮貼付部を案内する案内レールと、前記仮貼付部に先端部の裏面の粘着層が貼り付けられた帯状フィルムを、前記案内レールの近傍に載置された被貼付体に向かって上方から押さえつけることにより前記被貼付体に前記帯状フィルムを貼り付けるための押さえ部材と、を備えている。
【０００６】
このようなフィルム貼り付け補助装置によれば、案内ローラと、案内レールに沿って移動させることができる仮貼付部とを用いることにより、帯状フィルムの導出速度を調整する調整装置や被貼付体の搬送を行う駆動系が必要なくなるため、手動で被貼付体に帯状フィルムを貼り付けるに際し、気泡やシワの発生を抑制しながら低コストで貼り付け作業を行うことができるようになる。具体的には、案内ローラにより、円筒状の巻装体から送出された帯状フィルムを、シワが発生しないように伸ばすことができるようになる。また、案内レールに沿って仮貼付部を移動させることにより、帯状フィルムに張力がかかった状態で、押さえ部材によって帯状フィルムを被貼付体に向かって上方から押さえつけることにより、気泡やシワの発生を抑制しながら被貼付体に帯状フィルムを貼り付けることができるようになる。
【０００７】
本発明のフィルム貼り付け補助装置においては、前記巻装体支持部は、水平面上で互いに離間して平行に延びる一対のローラを有し、これらの一対のローラ上に円筒状の巻装体が載置されるようになっていてもよい。
【０００８】
本発明のフィルム貼り付け補助装置においては、前記押さえ部材は、押さえローラと、前記押さえローラに設けられ、操作者が把持するためのハンドルとを有していてもよい。
【０００９】
本発明のフィルム貼り付け補助装置においては、前記案内レールは、水平面上で互いに離間して平行に延びるよう一対設けられており、前記被貼付体は、前記一対の案内レールの間に載置されるようになっていてもよい。
【００１０】
本発明のフィルム貼り付け補助装置においては、前記仮貼付部には位置固定部材が取付可能となっており、当該位置固定部材により前記仮貼付部を前記案内レールの所定の位置に選択的に固定することができるようになっていてもよい。
【００１１】
本発明のフィルム貼り付け方法は、被貼付体に帯状フィルムを貼り付けるフィルム貼り付け方法であって、裏面に粘着層が設けられた帯状フィルムが巻装される円筒状の巻装体を巻装体支持部により支持させる工程と、前記巻装体支持部により支持された巻装体から送出された帯状フィルムを案内ローラにより案内する工程と、前記案内ローラにより案内された帯状フィルムの先端部の裏面の粘着層を仮貼付部に貼り付ける工程と、帯状フィルムの先端部の裏面の粘着層が貼り付けられた前記仮貼付部を、直線状に延びる案内レールに沿って移動させる工程と、前記仮貼付部が前記案内レールに沿って移動した後、前記仮貼付部に先端部の裏面の粘着層が貼り付けられた帯状フィルムを、前記案内レールの近傍に載置された被貼付体に向かって上方から押さえつけることにより前記被貼付体に前記帯状フィルムを貼り付ける工程と、を備えている。
【００１２】
このようなフィルム貼り付け方法によれば、案内ローラと、案内レールに沿って移動させることができる仮貼付部とを用いることにより、帯状フィルムの導出速度を調整する調整装置や被貼付体の搬送を行う駆動系が必要なくなるため、手動で被貼付体に帯状フィルムを貼り付けるに際し、気泡やシワの発生を抑制しながら低コストで貼り付け作業を行うことができるようになる。具体的には、案内ローラにより、円筒状の巻装体から送出された帯状フィルムを、シワが発生しないように伸ばすことができるようになる。また、案内レールに沿って仮貼付部を移動させることにより、帯状フィルムに張力がかかった状態で、押さえ部材によって帯状フィルムを被貼付体に向かって上方から押さえつけることにより、気泡やシワの発生を抑制しながら被貼付体に帯状フィルムを貼り付けることができるようになる。
【発明の効果】
【００１３】
本発明のフィルム貼り付け補助装置およびフィルム貼り付け方法によれば、手動で被貼付体に帯状フィルムを貼り付けるに際し、気泡やシワの発生を抑制しながら低コストで貼り付け作業を行うことができる。
【図面の簡単な説明】
【００１４】
【図１】本発明の実施の形態によるフィルム貼り付け補助装置の概略の構成を示す斜視図である。
【図２】図１に示すフィルム貼り付け補助装置によるフィルム貼り付け動作の一連の流れを示すための側面図である。
【図３】図１に示すフィルム貼り付け補助装置によるフィルム貼り付け動作の一連の流れを示すための側面図であって、図２に示す状態から仮貼付部が案内レールに沿って移動したときの状態を示す図である。
【図４】図１に示すフィルム貼り付け補助装置によるフィルム貼り付け動作の一連の流れを示すための側面図であって、図３に示す状態から押さえ部材により被貼付体に帯状フィルムを貼り付ける動作を示す図である。
【図５】図１に示すフィルム貼り付け補助装置によるフィルム貼り付け動作の一連の流れを示すための側面図であって、押さえ部材により被貼付体に帯状フィルムを貼り付けた後、帯状フィルムを切断する動作を示す図である。
【発明を実施するための形態】
【００１５】
以下、図面を参照して本発明の実施の形態について説明する。図１乃至５は、本実施の形態に係るフィルム貼り付け補助装置およびフィルム貼り付け方法を示す図である。このうち、図１は、本実施の形態によるフィルム貼り付け補助装置の概略の構成を示す斜視図であり、図２乃至図５は、図１に示すフィルム貼り付け補助装置によるフィルム貼り付け動作の一連の流れを示すための側面図である。
【００１６】
本実施の形態によるフィルム貼り付け補助装置は、基台２８に載置されたシート状の被貼付体３４に、円筒状の巻装体３０に巻装された帯状フィルム３２を貼り付けるのを補助するための装置である。図１に示すように、このようなフィルム貼り付け補助装置は、円筒状の巻装体３０を支持するための巻装体支持部１０と、巻装体支持部１０により支持された巻装体３０から送出された帯状フィルム３２を案内するためのアイドラ（案内ローラ）１２と、アイドラ１２により案内された帯状フィルム３２の先端部３２ａの裏面の粘着層が貼り付けられる仮貼付部１４と、直線状に延びるよう設けられ、仮貼付部１４を案内する案内レール１６と、を備えている。ここで、円筒状の巻装体３０には、裏面に粘着層が設けられた帯状フィルム３２が巻装されるようになっている。また、本実施の形態によるフィルム貼り付け補助装置では押さえ部材１８が設けられており、この押さえ部材１８によって、仮貼付部１４に先端部３２ａの裏面の粘着層が貼り付けられた帯状フィルム３２を、案内レール１６の近傍に載置されたシート状の被貼付体３４に向かって上方から押さえつけることにより、被貼付体３４に帯状フィルム３２を貼り付けるようになっている。
【００１７】
このようなフィルム貼り付け補助装置の各構成要素の詳細について以下に説明する。
【００１８】
図１等に示すように、巻装体支持部１０は、水平面上で互いに離間して平行に延びる一対のローラ１１を有しており、これらの一対のローラ１１上に円筒状の巻装体３０が載置されるようになっている。このような巻装体支持部１０によれば、一対のローラ１１上に円筒状の巻装体３０を載置するだけで当該巻装体３０を支持することができるため、簡易な構成により巻装体３０を支持することができるようになる。なお、本実施の形態では、巻装体支持部１０が一対のローラ１１を有するような構成に限定されることはない。他の例として、巻装体支持部１０が一本の支持軸（図示せず）を有しており、円筒状の巻装体３０は一本の支持軸によりその中心部分が支持されるようになっていてもよい。
【００１９】
また、図１に示すように、案内レール１６は、水平面である基台２８の上面で互いに離間して平行に延びるよう一対設けられている。そして、シート状の被貼付体３４は、基台２８の上面における一対の案内レール１６の間に載置されるようになっている。なお、本実施の形態では、案内レール１６が一対設けられるような構成に限定されることはない。案内レール１６が一本のみ設けられ、基台２８の上面における一本の案内レール１６の近傍にシート状の被貼付体３４が載置されるようになっていてもよい。
【００２０】
また、図１等に示すように、押さえ部材１８は、押さえローラ１９と、押さえローラ１９に設けられ、操作者が把持するためのハンドル２０とを有している。このような押さえ部材１８では、操作者がハンドル２０を把持しながら、押さえローラ１９により帯状フィルム３２をシート状の被貼付体３４に向かって上方から押さえつけることにより、被貼付体３４に帯状フィルム３２が貼り付けられるようになっている。
【００２１】
また、本実施の形態のフィルム貼り付け補助装置では、仮貼付部１４に位置固定キー（位置固定部材）２２が取付可能となっており、位置固定キー２２により仮貼付部１４を案内レール１６の所定の位置に選択的に固定することができるようになっている。より詳細には、図１等に示すように、仮貼付部１４の側面には、位置固定キー２２が挿入可能なキー穴２３が形成されており、案内レール１６の側面にも、位置固定キー２２の先端部分が挿入されるキー穴１７が形成されている。そして、仮貼付部１４のキー穴２３と、案内レール１６のキー穴１７とが位置合わせされた状態で、仮貼付部１４のキー穴２３に位置固定キー２２を挿入することにより、仮貼付部１４が案内レール１６の所定の位置（具体的には、キー穴２３が設けられた位置）に固定されるようになる。なお、本実施の形態では、仮貼付部１４のキー穴２３に位置固定キー（位置固定部材）２２が挿入されるような構成に限定されることはない。位置固定部材の他の例として、仮貼付部１４に位置固定フック（図示せず）が取り付けられ、この位置固定フックによって仮貼付部１４が案内レール１６の側面に引っ掛けられて位置固定されるようになっていてもよい。
【００２２】
次に、このような構成からなるフィルム貼り付け補助装置を用いて、シート状の被貼付体３４に帯状フィルム３２を貼り付けるフィルム貼り付け方法について図２乃至図５を用いて説明する。
【００２３】
まず、巻装体支持部１０の一対のローラ１１上に円筒状の巻装体３０を載置することにより、この巻装体３０を巻装体支持部１０により支持させる。また、図１に示すように、基台２８の上面における一対の案内レール１６の間にシート状の被貼付体３４を載置する。また、図１および図２に示すように、案内レール１６に沿って、仮貼付部１４をアイドラ１２の近傍の位置に移動させる。具体的には、図２に示すように、仮貼付部１４を、案内レール１６におけるアイドラ１２のほぼ真下の位置に移動させる。
【００２４】
そして、図２に示すように、一対のローラ１１上に載置された円筒状の巻装体３０から送出された帯状フィルム３２をアイドラ１２により案内し、アイドラ１２により案内された帯状フィルム３２の先端部３２ａの裏面の粘着層を仮貼付部１４の上面に貼り付ける。この際に、帯状フィルム３２に張力がかかった状態とする。
【００２５】
次に、図３に示すように、帯状フィルム３２に張力がかかった状態で、帯状フィルム３２の先端部３２ａの裏面の粘着層が貼り付けられた仮貼付部１４を、直線状に延びる案内レール１６に沿って操作者が手動で移動させる。具体的には、図３の矢印に示すように、仮貼付部１４を案内レール１６に沿って図３における右方向に移動させ、この仮貼付部１４をアイドラ１２から離間させるようにする。そして、仮貼付部１４が案内レール１６の右端近傍の箇所まで移動し、この案内レール１６の右端近傍の箇所に設けられたキー穴１７と、仮貼付部１４のキー穴２３とが位置合わせされたときに、仮貼付部１４のキー穴２３に位置固定キー２２を挿入することにより、仮貼付部１４を案内レール１６の右端近傍の位置に固定する。
【００２６】
仮貼付部１４が案内レール１６に沿って移動した後、図４に示すように、仮貼付部１４に先端部３２ａの裏面の粘着層が貼り付けられた帯状フィルム３２を、押さえ部材１８の押さえローラ１９によって、基台２８上の被貼付体３４に向かって押さえつけながら、当該押さえ部材１８を図４の矢印に示す方向（アイドラ１２の真下の位置に向かう方向）に移動させることにより、被貼付体３４に帯状フィルム３２を貼り付ける。
【００２７】
被貼付体３４に帯状フィルム３２が貼り付けられた後、図５に示すように、帯状フィルム３２における仮貼付部１４に貼り付けられた先端部３２ａの近傍の箇所、および帯状フィルム３２における被貼付体３４との接着面よりも下流側の箇所を、カッター等の切断部材２４によりそれぞれ切断する。このことにより、帯状フィルム３２が貼り付けられた被貼付体３４が得られるようになる。
【００２８】
以上のように本実施の形態のフィルム貼り付け補助装置によれば、巻装体支持部１０により支持された巻装体３０から送出された帯状フィルム３２を案内するためのアイドラ（案内ローラ）１２と、アイドラ１２により案内された帯状フィルム３２の先端部３２ａの裏面の粘着層が貼り付けられる仮貼付部１４と、直線状に延びるよう設けられ、仮貼付部１４を案内する案内レール１６と、仮貼付部１４に先端部３２ａの裏面の粘着層が貼り付けられた帯状フィルム３２を、案内レール１６の近傍に載置された被貼付体３４に向かって上方から押さえつけることにより被貼付体３４に帯状フィルム３２を貼り付けるための押さえ部材１８とを備えている。このように、アイドラ１２と、案内レール１６に沿って移動させることができる仮貼付部１４とを用いることにより、帯状フィルム３２の導出速度を調整する調整装置や被貼付体３４の搬送を行う駆動系が必要なくなるため、手動で被貼付体３４に帯状フィルム３２を貼り付けるに際し、気泡やシワの発生を抑制しながら低コストで貼り付け作業を行うことができるようになる。具体的には、アイドラ１２により、円筒状の巻装体３０から送出された帯状フィルム３２を、シワが発生しないように伸ばすことができるようになる。また、案内レール１６に沿って仮貼付部１４を移動させることにより、帯状フィルム３２に張力がかかった状態で、押さえ部材１８によって帯状フィルム３２を被貼付体３４に向かって上方から押さえつけることにより、気泡やシワの発生を抑制しながら被貼付体３４に帯状フィルム３２を貼り付けることができるようになる。
【００２９】
本実施の形態のフィルム貼り付け補助装置においては、巻装体支持部１０は、水平面上で互いに離間して平行に延びる一対のローラ１１を有しており、これらの一対のローラ１１上に円筒状の巻装体３０が載置されるようになっている。この場合には、円筒状の巻装体３０を一対のローラ１１上に載置するだけで当該巻装体３０を支持することができるため、簡易な構成により巻装体３０を支持することができるようになる。
【００３０】
また、本実施の形態のフィルム貼り付け補助装置においては、押さえ部材１８は、押さえローラ１９と、押さえローラ１９に設けられ、操作者が把持するためのハンドル２０とを有している。また、案内レール１６は、水平面上で互いに離間して延びるよう一対設けられており、被貼付体３４は、一対の案内レール１６の間に載置されるようになっている。
【００３１】
また、本実施の形態のフィルム貼り付け補助装置においては、仮貼付部１４には位置固定キー２２が取付可能となっており、この位置固定キー２２により仮貼付部１４を案内レール１６の所定の位置（具体的には、キー穴１７が設けられた箇所）に選択的に固定することができるようになっている。このことにより、仮貼付部１４が確実に位置固定された状態で、仮貼付部１４に先端部３２ａの裏面の粘着層が貼り付けられた帯状フィルム３２を、押さえ部材１８によって被貼付体３４に向かって上方から押さえつけることにより、気泡やシワの発生をより確実に抑制しながら被貼付体３４に帯状フィルム３２を貼り付けることができるようになる。
【００３２】
なお、本発明によるフィルム貼り付け補助装置およびフィルム貼り付け方法は、上記の態様に限定されるものではなく、様々の変更を加えることができる。
【００３３】
例えば、帯状フィルム３２を被貼付体３４に向かって上方から押さえつけることにより、被貼付体３４に帯状フィルム３２を貼り付けるための押さえ部材としては、図１等に示すような、押さえローラ１９およびハンドル２０を有する押さえ部材１８のような構成に限定されることはない。被貼付体３４に帯状フィルム３２を貼り付けることができるものであれば、他の構成の押さえ部材を用いてもよい。
【００３４】
また、仮貼付部１４を案内レール１６の所定の位置に選択的に固定する位置固定部材としては、図１等に示すような位置固定キー２２を仮貼付部１４のキー穴２３に挿入するような構成のものに限定されることはない。他の構成の位置固定部材により、仮貼付部１４を案内レール１６の所定の位置に選択的に固定することができるようになっていてもよい。また、操作者が片手で仮貼付部１４を押さえながらもう片手で押さえ部材１８を移動させる場合には、仮貼付部１４を案内レール１６の所定の位置に選択的に固定する位置固定部材の設置を省略することもできる。
【符号の説明】
【００３５】
１０  巻装体支持部
１１  ローラ
１２  アイドラ
１４  仮貼付部
１６  案内レール
１７  キー穴
１８  押さえ部材
１９  押さえローラ
２０  ハンドル
２２  位置固定キー
２３  キー穴
２４  切断部材
２８  基台
３０  円筒状の巻装体
３２  帯状フィルム
３２ａ  先端部
３４  被貼付体
【図１】
2013209547.tif 000003
【図２】
2013209547.tif 000004
【図３】
2013209547.tif 000005
【図４】
2013209547.tif 000006
【図５】
2013209547.tif 000007